(57)【要約】【課題】画面の大きい表示部を設けなくとも決済時または保守時における表示情報の視認性を向上することのできる決済処理装置及びそれを備えた自動販売機を提供する。【解決手段】決済モードまたは保守モードでは自動販売機の画面表示部９に決済モード用の情報または保守モード用の情報を表示し、待機モードでは画面表示部９における決済モード用の情報の表示または保守モード用の情報の表示を解除するようにしたので、決済処理装置１０に画面の大きい表示部を設けなくとも決済モード及び保守モードにおける表示情報の視認性を向上することができる。これにより、従来のように決済モード用の情報または保守モード用の情報を決済処理装置側の表示部に表示するものに比べ、一度に表示可能な情報量を多く、または表示を大きくすることができる。【選択図】図１
2017142612.tif 000002
【特許請求の範囲】
【請求項１】
少なくとも一種類の決済サービスに対応可能であり、利用者が決済に用いる情報記録媒体との間で決済情報の送受信を非接触で行うことにより、決済に係る取引に用いられる上位装置の決済要求に基づく決済処理を行う決済処理装置において、
前記情報記録媒体と通信を行う無線通信手段と、
保守用の設定作業を行うための保守モードに切り替える保守モード切替手段と、
保守モードでは前記上位装置に備わる上位装置側画面表示部に保守モード用の情報を表示し、待機モードでは上位装置側画面表示部における保守モード用の情報の表示を解除する表示制御手段とを備えた
ことを特徴とする決済処理装置。
【請求項２】
前記決済サービスの種類に関する種類情報を待機モードにおいて表示する表示部を備えた
ことを特徴とする請求項１記載の決済処理装置。
【請求項３】
少なくとも一種類の決済サービスに対応可能であり、利用者が決済に用いる情報記録媒体との間で決済情報の送受信を非接触で行うことにより決済処理を行う決済処理装置を備え、決済処理装置に対して決済要求を行う自動販売機において、
前記情報記録媒体と通信を行う無線通信手段と、
自動販売機本体の前面に設けられた画面表示部と、
保守用の設定作業を行うための保守モードに切り替える保守モード切替手段と、
保守モードでは自動販売機の画面表示部に保守モード用の情報を表示し、待機モードでは画面表示部における保守モード用の情報の表示を解除する表示制御手段とを備えた
ことを特徴とする自動販売機。
【発明の詳細な説明】
【技術分野】
【０００１】
本発明は、決済サービスの提供に用いられる情報記録媒体との間で決済情報の送受信を行うことにより決済処理を行う決済処理装置及びそれを備えた自動販売機に関する。
【背景技術】
【０００２】
従来より、決済手段として電子マネーを用いた決済サービスが普及している。この決済サービスではＩＣカードなどの情報記録媒体を用い、決済処理装置が情報記録媒体との間で無線又は有線で決済情報の送受信を行うことにより決済処理を行う。決済処理の結果としての決済結果情報は、決済処理装置からネットワークを介して所定の管理サーバに送信・記録される、あるいは、管理者が持ち運ぶ携帯端末に吸い出され、この携帯端末から所定の管理サーバに記録される。なお、情報記録媒体は、ＩＣチップが内蔵された、ＩＣカード、携帯電話、スマートフォン、腕時計、指輪など種々の形態がある。
【０００３】
近年、電子マネーを用いた決済サービスとして、事業者や方式が異なる多様の種類のものが登場してきている。決済サービスの方式としては、プリペイド型、ポストペイ型（クレジットカード型）、即時決済型（デビットカード型）などの種類がある。このような複数種類の決済サービスに対応するため、情報記録媒体や決済処理装置も複数種類の決済サービスに対応可能なものが登場してきている。なお、ポストペイ型や即時決済型は、電子マネー、すなわち電子的な金銭的価値情報（バリュー）を情報記録媒体に記録・流通させるものではないが、これらも電子マネーを用いた決済サービスに含まれるものと解釈することが一般的なので、本願もこれに準ずるものとする。
【０００４】
このような決済処理装置としては、例えば特許文献１に記載されたリーダライタ装置が知られている。このリーダライタ装置は、主として自動販売機などの上位装置に付設され、自動販売機における商品販売に係る決済処理を行うために用いられる。このリーダライタ装置は、非接触で情報記録媒体と決済情報の送受信を行う無線処理部及び通信用アンテナと、決済処理を行う決済処理部及び表示操作部とを備えている。前記無線処理部及び通信用アンテナ並びに表示操作部は外部ユニットを構成し、この外部ユニットは自動販売機の外扉の前面外側に付設される。前記決済処理部は内部ユニットを構成し、この内部ユニットは自動販売機の内側に付設される。前記表示操作部は、利用者や管理者に対して各種情報を表示するための表示部と、利用者や管理者からの操作を入力するための入力部として２つのボタンを備えている。
【０００５】
このリーダライタ装置では、自動販売機における販売待機中においては、「電子マネーご利用になれます」など電子マネーを用いた決済サービスが利用可能である旨を表示する。また販売待機中に前記入力部の操作があると、自身が対応している複数種類（「複数のブランド」とも言う）の決済サービスの種類名（「ブランド名」とも言う）を表示する。前記表示部はそのサイズの関係から１つのブランド名のみが表示可能である。そこで、ブランド名の表示処理では、入力部の操作のたびに複数のブランド名を順次切り替え表示する。具体的には、各ブランド名を順序づけし、入力部のボタンの一方の操作があると昇順で順次ブランド名を表示し、他方のボタンの操作があると降順で順次ブランド名を表示させる、いわゆるスクロール表示処理を行っている。
【０００６】
また、例えば特許文献２に記載されているように、自動販売機本体の外扉の前面に液晶ディスプレイからなる画面表示部を設け、画面表示部に宣伝広告やキャンペーン情報などの任意の情報を表示するようにしたものが知られている。
【先行技術文献】
【特許文献】
【０００７】
【特許文献１】特開２０１０−８６２００号公報
【特許文献２】特開２００４−２８０２７０号公報
【発明の概要】
【発明が解決しようとする課題】
【０００８】
しかしながら、従来の決済処理装置では、外部ユニットに表示部が設けられているため、前述のように表示部を１つのブランド名のみが表示可能な程度の大きさにしか形成することができない。すなわち、外部ユニットの前面には通信用アンテナや入力部のボタンが配置されているため、画面の大きい表示部を設けることができず、特許文献２の自動販売機に備わる液晶ディスプレイに比べると、一度に表示可能な領域が極めて小さく視認性に劣るものである。決済処理装置では、利用可能な決済サービスの追加や削除、日付設定、待機表示設定など、各種設定作業を保守モードに切り替えて行うようになっているが、保守用の情報も前記表示部に表示されるため、設定画面の表示が小さく、一度に表示される情報量も少ない。このため、保守モードでの作業性が悪く、誤設定を生ずるおそれもあった。
【０００９】
本発明は上記事情に鑑みてなされたものであり、その目的とするところは、画面の大きい表示部を設けなくとも保守時における表示情報の視認性を向上することのできる決済処理装置及びそれを備えた自動販売機を提供することにある。
【課題を解決するための手段】
【００１０】
本発明は、上記目的を達成するために、少なくとも一種類の決済サービスに対応可能であり、利用者が決済に用いる情報記録媒体との間で決済情報の送受信を非接触で行うことにより、決済に係る取引に用いられる上位装置の決済要求に基づく決済処理を行う決済処理装置において、前記情報記録媒体と通信を行う無線通信手段と、保守用の設定作業を行うための保守モードに切り替える保守モード切替手段と、保守モードでは前記上位装置に備わる上位装置側画面表示部に保守モード用の情報を表示し、待機モードでは上位装置側画面表示部における保守モード用の情報の表示を解除する表示制御手段とを備えている。
【００１１】
これにより、保守モードでは上位装置側画面表示部に保守モード用の情報が表示されることから、画面の大きい表示部を設けなくとも決済モードまたは保守モードにおける表示情報の視認性が向上する。
【発明の効果】
【００１２】
本発明によれば、画面の大きい表示部を設けなくとも保守モードにおける表示情報の視認性を向上させることができるので、従来のようにまたは保守モード用の情報を決済処理装置側の表示部に表示するものに比べ、一度に表示可能な情報量を多く、または表示を大きくすることができ、保守時における設定作業を容易に行うことができる。
【図面の簡単な説明】
【００１３】
【図１】自動販売機の正面図
【図２】決済処理装置の機能ブロック図
【図３】外部ユニットの正面図
【図４】決済サービス情報及び表示順序情報の一例を示す図
【図５】決済処理装置の動作を説明するフローチャート
【図６】決済処理装置の動作を説明するフローチャート
【図７】保守モードにおける画面表示部の表示画面を示す図
【図８】保守モードにおける画面表示部の表示画面を示す図
【図９】保守モードにおける画面表示部の表示画面を示す図
【発明を実施するための形態】
【００１４】
本発明の一実施の形態に係る決済処理装置について図面を参照して説明する。図１は決済処理装置が備わる自動販売機の正面図、図２は決済処理装置の機能ブロック図、図３は決済処理装置の外部ユニットの正面図である。
【００１５】
本実施の形態の自動販売機は、自動販売機本体１の前面に外扉１ａを有し、外扉１ａの前面には複数の商品サンプル２、商品選択ボタン３、硬貨投入口４、紙幣投入口５、金額表示部６、硬貨返却口７及び商品取出口８が設けられている。自動販売機本体１内には、例えばサーペンタイン式の商品搬出装置（図示せず）が設けられており、商品搬出装置の商品コラムに収納された商品が自動販売機本体１内で冷却または加熱されるようになっている。即ち、利用者によって金銭が投入され、または後述する決済処理装置１０によって決済処理が行われると、商品選択ボタン３によって選択された商品が商品取出口８に搬出されるようになっている。
【００１６】
また、外扉１ａの前面には、液晶ディスプレイからなる画面表示部９が設けられ、画面表示部９には商品の宣伝広告など、任意の情報が表示されるようになっている。
【００１７】
本実施の形態に係る決済処理装置１０は、決済に係る取引に用いられる上位装置としての自動販売機の外扉１ａの前面に取り付けられ、自動販売機における商品販売の決済処理に用いられる。決済処理装置１０が決済情報の送受信を行う情報記録媒体は、非接触で通信可能なＩＣチップが内蔵された、ＩＣカード、携帯電話、スマートフォン、腕時計、指輪など種々の形態があるが、本実施の形態ではＩＣカード３０を例に説明する。ＩＣカード３０などの情報記録媒体は、１つ又は複数の種類の決済サービスに対応可能になっている。ＩＣカード３０の場合は、カード毎に付与される識別情報としてのカードＩＤ、決済サービス毎に付与される決済サービスＩＤ、電子マネーの残高情報等がカードのＩＣチップに記憶されている。
【００１８】
決済処理装置１０は、図２に示すように、外部ユニット１００と、内部ユニット２００と、外部ユニット１００と内部ユニット２００とを接続する信号線３００とを備えている。
【００１９】
外部ユニット１００は、図２及び図３に示すように、非接触で情報記録媒体と決済情報の送受信を行うＲＦ処理部１１０及び通信用のアンテナ１１５と、内部ユニット２００からの指示に基づき情報記録媒体との間で決済処理を行う決済処理部１２０と、各種情報を表示する表示部１３０と、利用者の操作指示を入力するプッシュボタンからなる第１入力ボタン１４１及び第２入力ボタン１４２と、保守モードでの設定操作に用いる設定操作ボタン１４３とを備えている。本実施の形態では、表示部１３０としては、文字列や図形等を表示可能な横長の蛍光表示管を用いる。また、表示部１３０のサイズは、概ね、実用的なサイズの文字列でいうと２行１５文字程度の大きさであるものとする。これに対し、自動販売機の画面表示部９は、例えば９インチ程度の液晶ディスプレイからなり、決済処理装置１０の表示部１３０よりも大画面で一度に表示可能な情報量も多い。
【００２０】
決済処理部１２０は、決済サービスの種類（ブランド）毎にそれぞれ独立した決済処理機能部を備えている。図２の例では、決済処理部１２０は、第１〜第３の決済処理機能部１２１〜１２３を備えている。決済処理部１２０の各決済処理機能部１２１〜１２３は内部ユニット２００により管理されており、外部装置又は外部メディアからプログラム等をインストールすることにより決済処理機能部を決済処理部１２０に追加したり削除したりすることができる。
【００２１】
内部ユニット２００は、図２に示すように、決済処理部１２０による決済処理やその他の決済処理部１２０の動作を統括的に制御する主制御部２１０と、外部ネットワークに接続するための通信インタフェイス部２２０と、自動販売機の主制御装置２０に接続するための自販機インタフェイス部２３０と、自動販売機の画面表示部９に接続するための表示インタフェイス部２４０と、保守モードに切り替えるための保守スイッチ２５０とを備え、図示していないが、保守スイッチ２５０は内部ユニット２００の背面に設けられている。決済処理装置１０と自動販売機の主制御装置２０とは、所定の通信規格に準拠して通信可能に接続されている。主制御部２１０は、各種情報を記憶する記憶部２１１を備えている。通信インタフェイス部２２０には、外部ネットワークを介して図示しない管理サーバ等に接続するための通信装置４０が接続されている。
【００２２】
前記記憶部２１１には、自身が対応する決済サービスの少なくとも種類情報（ブランド情報）を含む決済サービス毎の決済サービス情報と、後述する決済サービスの種類情報の順次切替表示における表示順序の情報（表示順序情報）とを少なくとも記憶する。図４に決済サービス情報及び表示順序情報の一例を示す。本実施の形態では、表示順序情報を決済サービス情報に含ませる形態としており、決済サービス情報は、図４に示すように、少なくとも各決済サービス情報の種類情報（ブランド情報）と、表示順序情報とを含む。このブランド情報としては、図４に示すようなブランド名を表す文字列情報であってもよいし、ブランド名を表すロゴの画像情報であってもよいし、これらの組み合わせであってもよい。決済サービス情報及び表示順序情報は、少なくとも、主制御部２１０により決済処理機能部を決済処理部１２０に追加・削除するのと同時期に更新される。
【００２３】
なお、自動販売機の主制御装置２０には、自動販売機の各商品選択ボタン３、商品搬出装置、表示部、紙幣処理装置、貨幣処理装置など従来周知の機器が接続されるとともに、画面表示部９及び通信装置４０が接続されている。また、画面表示部９には、決済処理装置１０の主制御部２１０が表示インタフェイス部２４０を介して通信ケーブルにより接続されている。
【００２４】
次に、本実施の形態に係る決済処理装置の動作について説明する。図５は決済処理装置の動作を説明するフローチャートである。
【００２５】
まず、決済処理装置１０は、待機モードでは後述する待機中表示処理を行う（ステップＳ１００）。ここで決済処理装置１０は、待機中には、すなわち待機中表示処理の実施中には、ＩＣカード３０を検出したか（ＩＣカード３０がタッチされたか）、第１及び第２入力ボタン１４１，１４２が押下されたか、自動販売機の主制御装置２０から商品選択ボタンが押下されたことを示す信号を受信したか、保守スイッチ２５０によって保守モードに切り替えられたかを監視する。なお、ＩＣカード３０の検出監視処理では、ＩＣカード３０の検出時に、ＩＣカード３０が対応可能な決済サービス種別及び当該決済サービスがプリペイド式の場合にはその残高バリューも読み取る。また、自動販売機の主制御装置２０からの商品選択ボタンが押下されたことを示す信号とは、実際には、自動販売機の主制御装置２０からの決済処理要求に係る決済額情報である。
【００２６】
待機中に、ＩＣカード３０のタッチが検出されるか、自動販売機の主制御装置２０から商品選択ボタンが押下されたことを示す信号が決済処理装置１０に送信されたか、第１及び第２入力ボタン１４１，１４２の押下が検出された場合は、待機モードから決済モードに切り替わる。
【００２７】
この場合、待機中にＩＣカード３０のタッチを検出すると、決済処理装置１０は、当該検出処理中で得られたＩＣカード３０が対応可能な決済サービスであって、且つ、自身が対応する決済サービスが複数であるかを判定し（ステップＳ１１）、１つの場合には前記検出監視処理中で得られた残高バリューを画面表示部９に表示する（ステップ１３）。一方、複数の場合には、ＩＣカード３０及び自身の双方で対応する複数の決済サービスの中から、第１及び第２入力ボタン１４１，１４２を用いて１つの決済サービスを選択し（ステップＳ１２）、選択された決済サービスの残高バリューを画面表示部９に表示する（ステップＳ１３）。前記選択処理では、記憶部２１１から１つの決済サービス情報を取り出してブランド名を画面表示部９に表示し、第１入力ボタン１４１が押下されたら次の順位の決済サービス情報のブランド名を表示し、第２入力ボタン１４２が押下されたら前の順位の決済サービス情報のブランド名を表示する。最初にどの決済サービス情報のブランド名を表示させるは、順位が１番のものを選択してもよいし、後述する待機中表示処理における現順位のものを選択してもよいし、前回決済処理で用いられた決済サービスに係るものを選択してもよい。
【００２８】
その後、自動販売機の主制御装置２０から商品選択ボタン３が押下されたことを示す信号を受信すると（ステップＳ１４）、決済処理装置１０は、ＩＣカード３０の検出を監視し、ＩＣカード３０のタッチを検出すると（ステップＳ１５）、ＩＣカード３０との間で決済処理を行った後（ステップＳ１６）、画面表示部９における決済モード用の情報の表示を解除し、画面表示部９の表示を自動販売機側の情報に戻す（ステップＳ２２）。ここで、決済処理は、前記ステップＳ１１において決済サービスが単数の場合は当該決済サービスを用い、前記ステップＳ１１において決済サービスが複数の場合は前記ステップＳ１２で選択された決済サービスを用いる。
【００２９】
一方、待機中に第１及び第２入力ボタン１４１，１４２の押下を検出すると、決済処理装置１０は、自身が対応する複数の決済サービスの中から、第１及び第２入力ボタン１４１，１４２を用いて１つの決済サービスを選択する（ステップＳ１７）。当該選択処理では、記憶部２１１から１つの決済サービス情報を取り出してブランド名を画面表示部９に表示し、第１入力ボタン１４１が押下されたら次の順位の決済サービス情報のブランド名を表示し、第２入力ボタン１４２が押下されたら前の順位の決済サービス情報のブランド名を表示する。最初にどの決済サービス情報のブランド名を表示させるは、順位が１番のものを選択してもよいし、後述する待機中表示処理における現順位のものを選択してもよいし、前回決済処理で用いられた決済サービスに係るものを選択してもよい。
【００３０】
その後、自動販売機の主制御装置２０から商品選択ボタン３が押下されたことを示す信号を受信すると（ステップＳ１４）、決済処理装置１０は、ＩＣカード３０の検出を監視し、ＩＣカード３０のタッチを検出すると（ステップＳ１５）、ＩＣカード３０との間で決済処理を行う（ステップＳ１６）。ここで、決済処理は、前記ステップＳ１７で選択された決済サービスを用いる。
【００３１】
他方、待機中に自動販売機の主制御装置２０からの商品選択ボタン３が押下されたことを示す信号を検出すると、決済処理装置１０は、ＩＣカード３０の検出を監視する。そして、決済処理装置１０は、ＩＣカード３０のタッチを検出すると（ステップＳ１８）、当該検出処理中で得られたＩＣカード３０が対応可能な決済サービスであって、且つ、自身が対応する決済サービスが複数であるかを判定し（ステップＳ１９）、１つの場合には当該決済サービスで決済処理を行う（ステップＳ１６）。一方、複数の場合には、ＩＣカード３０及び自身の双方で対応する複数の決済サービスの中から、第１及び第２入力ボタン１４１，１４２を用いて１つの決済サービスを選択し（ステップＳ２０）、選択された決済サービスの残高バリューを画面表示部９に表示する（ステップＳ２１）。前記選択処理では、記憶部２１１から１つの決済サービス情報を取り出してブランド名を画面表示部９に表示し、第１入力ボタン１４１が押下されたら次の順位の決済サービス情報のブランド名を表示し、第２入力ボタン１４２が押下されたら前の順位の決済サービス情報のブランド名を表示する。最初にどの決済サービス情報のブランド名を表示させるは、順位が１番のものを選択してもよいし、後述する待機中表示処理における現順位のものを選択してもよいし、前回決済処理で用いられた決済サービスに係るものを選択してもよい。
【００３２】
その後、決済処理装置１０は、ＩＣカード３０の検出を監視し、ＩＣカード３０のタッチを検出すると（ステップＳ２１）、ＩＣカード３０との間で決済処理を行う（ステップＳ１６）。ここで、決済処理は、前記ステップＳ１９において決済サービスが単数の場合は当該決済サービスを用い、前記ステップＳ１９において決済サービスが複数の場合は前記ステップＳ２０で選択された決済サービスを用いる。
【００３３】
上記の各処理中に利用者から何らの操作が行われなかった場合、及び、前記ステップＳ１６の決済処理が終了すると、決済処理装置１０は、再び待機中表示処理に処理を移行させる（ステップＳ１００）。
【００３４】
また、待機中に、保守スイッチ２５０による保守モードへの切替が検出された場合は、待機モードから保守モードに切り替わり、決済処理装置１０は、自動販売機の画面表示部９に保守モード用の情報を表示する（ステップＳ２２）。すなわち、決済処理装置１０は、保守モードに切り替わるとその旨のコマンドを自動販売機の主制御装置２０に送信し、主制御装置２０は、前記コマンドを受信すると、画面表示部９に保守モード用の情報を表示するための割込コマンドを送信する。この割込コマンドを受信した画面表示部９は、自動販売機側の情報（例えば、宣伝広告やキャンペーン情報等）の表示を保守モード用の情報の表示に切り替える。
【００３５】
保守モードでは、利用可能な決済サービスの追加や削除、日付設定、待機表示設定など、各種設定作業を行う。その際、画面表示部９には、設定項目や選択肢が表示され、第１及び第２入力ボタン１４１，１４２が設定項目や選択肢の切替操作に使用され、設定操作ボタン１４３が選択肢の決定に使用される。例えば、図７〜図９に示すように、画面表示部９には、複数の第１の設定項目９ａと、各第１の設定項目９ａに属する複数の第２の設定項目９ｂが表示される。各第１の設定項目９ａは画面表示部９の上部に横一列に配置され、各第２の設定項目９ｂはそれぞれが属する第１の設定項目９ａの下方に縦一列に配置されている。この場合、図７に示すように各第１の設定項目９ａの何れか一つが選択表示（図中太線枠）になっており、図８に示すように第１及び第２入力ボタン１４１，１４２を一回押すごとに選択表示が各第１の設定項目９ａの何れかに移動するようになっている。ここで、設定操作ボタン１４３を押すと、図９に示すように選択表示が第１の設定項目９ａからその下方の第２の設定項目９ｂに移動し、第１及び第２入力ボタン１４１，１４２を一回押すごとに選択表示が各第２の設定項目９ｂの何れかに移動するようになっている。ここで、設定操作ボタン１４３を押すと、選択表示された第２の設定項目９ｂの設定画面（図示せず）が表示され、その第２の設定項目９ｂの設定が可能となる。
【００３６】
保守モードにおける設定作業が終了し、保守スイッチ２５０による待機モードへの切替が検出された場合は（ステップＳ２３）、画面表示部９における保守モード用の情報の表示を解除し、画面表示部９の表示を自動販売機側の情報に戻す（ステップＳ２４）。
【００３７】
次に、前述の待機中表示処理について図６のフローチャートを参照して説明する。ここでは、適当な初期値で「現順序」が記憶部２１１に予め記憶されているものとする。
【００３８】
決済処理装置１０は、記憶部２１１から現順序に対応する決済サービス情報を取り出して、そのブランド名を表示部１３０に所定時間表示する（ステップＳ１０１）。所定時間の表示が完了すると、決済処理装置１０は、現順序を１つ増加させ（ステップＳ１０２）、自身の対応する決済サービスの数よりも現順序が大きい場合には（ステップＳ１０３）、現順序を１に設定し、次の順位のブランド名の表示処理に切り替えることを繰り返す。
【００３９】
このような処理により、自身が対応する複数の決済サービスのブランド名が所定の順位で且つ所定の時間間隔で表示部１３０に順次切替表示される。
【００４０】
以上詳述したように、本実施の形態に係る決済処理装置によれば、保守モードでは自動販売機の画面表示部９に保守モード用の情報を表示し、待機モードでは画面表示部９における保守モード用の情報の表示を解除するようにしたので、外部ユニット１００に画面の大きい表示部を設けなくとも保守モードにおける表示情報の視認性を向上することができる。これにより、従来のように保守モード用の情報を決済処理装置側の表示部に表示するものに比べ、一度に表示可能な情報量を多く、または表示を大きくすることができるので、保守時における設定作業を容易に行うことができる。
【００４１】
また、決済処理装置１０は、決済サービスの種類に関する種類情報を待機モードにおいて表示する表示部１３０を備えているので、画面表示部９に宣伝広告等の自動販売機用の情報が表示されている待機モードにおいても、決済サービスの種類情報を表示部１３０によって利用者に提供することができ、利便性の向上を図ることができる。
【００４２】
なお、上記実施の形態では、自動販売機の画面表示部９に決済処理装置１０の主制御部２１０を表示インタフェイス部２４０を介して通信ケーブルにより接続し、決済モード用の情報または保守モード用の情報を決済処理装置１０の主制御部２１０から画面表示部９に直接出力するようにしたものを示したが、決済処理装置１０の主制御部２１０と画面表示部９とを直接接続せず、決済モード用の情報または保守モード用の情報を決済処理装置１０の主制御部２１０から自動販売機の主制御装置２０を介して画面表示部９に出力するようにしてもよい。
【００４３】
なお、上記実施の形態では、画面表示部９を備えた自動販売機に決済処理装置１０を付設するようにしたものを示したが、このような画面表示部９を有しない自動販売機に決済処理装置１０を付設する場合は、決済処理装置１０が自動販売機側の画面表示部に接続されていないことを自動検知または手動設定することにより、保守モード用の情報を決済処理装置１０の表示部１３０に表示するように構成することも可能である。これにより、画面表示部９を有しない自動販売機においても決済処理装置１０を使用することができるので、汎用性を高めることができる。
【００４４】
また、上記実施の形態で示した保守モードにおける画面表示部９の画面構成（図７〜図９）は一例であり、設定項目の配置等が異なる他の画面構成であってもよい。この場合、上記実施の形態では、第１及び第２入力ボタン１４１，１４２及び設定操作ボタン１４３を用いて設定項目の切替操作や決定を行うようにしたものを示したが、画面表示部９にタッチパネルからなるディスプレイを用い、設定項目を直接タッチすることにより設定操作を行うようにすれば、設定作業をより迅速且つ容易に行うことができる。
【００４５】
さらに、上記実施の形態では、決済処理装置１０は自動販売機とは別体としたが、自動販売機と一体とすることができる。この場合、例えば、上記実施の形態における決済処理装置１０の主制御部２１０は自動販売機の主制御装置２０と一体に実装される。また、上記の表示部１３０や第１入力ボタン１４１，１４２は自動販売機が備えている表示器や入力ボタンと共通化してもよい。
【００４６】
また、上記実施の形態では、決済処理装置１０を自動販売機に別体として付設した例を説明したが、他の機器に付設或いは接続したり、他の機器と一体としたりすることもできる。他の機器としては、例えば、レジスター、ＰＯＳ端末、駐車場や駐輪場の料金精算機など決済処理を必要とする種々の機器が挙げられる。
【符号の説明】
【００４７】
１…自動販売機本体、９…画面表示部、１０…決済処理装置、２０…自動販売機の主制御装置、３０…ＩＣカード、４０…通信装置、１００…外部ユニット、１１０…ＲＦ処理部、１１５…アンテナ、１２０…決済処理部、１３０…表示部、１４１，１４２…入力ボタン、１４３…設定操作ボタン、２００…内部ユニット、２１０…主制御部、２２０…通信インタフェイス部、２３０…自販機インタフェイス部、２４０…表示インタフェイス部、２５０…保守スイッチ。
【図１】
2017142612.tif 000003
【図２】
2017142612.tif 000004
【図３】
2017142612.tif 000005
【図４】
2017142612.tif 000006
【図５】
2017142612.tif 000007
【図６】
2017142612.tif 000008
【図７】
2017142612.tif 000009
【図８】
2017142612.tif 000010
【図９】
2017142612.tif 000011